(57)【要約】  把持部（１）を用いて布片（２）を把持し、移動させ、かつ解放するための方法が開示される。把持部（１）はまず、布片（２）と接触する、相対して密着するフレキシブルな可動表面部分（３）を備えて設けられており、表面部分（３）は、布片（２）を挟み込んで保持するために、互いに対してかつ把持部（１）に対して移動され、布片（２）が表面部分（３）間に挟み込まれた状態で把持部（１）は別の場所へ移動され、ここで、表面部分（３）は、布片（２）を解放するために、逆方向に移動される。把持動作のために布片（２）に接触している間、相対する表面部分（３）は、表面部分を互いに近接させかつこれら表面部分を把持される布片から離れる方向において少なくとも把持部に対して移動させる経路に沿って移動される。
2021510777.tif 000002
【特許請求の範囲】
【請求項１】
布片（２）を把持し、保持し、かつ解放するよう構成された把持部（１）であって、
２つの相対するコンベヤベルト（６）のループの形態の密着するフレキシブルな可動の表面部分（３）を備えるフレーム部材（１１）を備えており、
前記コンベヤベルト（６）間にニップが画定され、前記コンベヤベルト（６）が第１の方向に移動する場合に前記表面部分（３）と接触した前記布片が前記ニップに引き込まれ、
前記コンベヤベルト（６）のうち第１のコンベヤベルト（６）が、第１のローラ対（８）の周りで牽引され、前記コンベヤベルト（６）のうち第２のコンベヤベルト（６）が、第２のローラ対（８）の周りで牽引され、
前記第１のローラ対（８）のうちの第１のローラと前記第２のローラ対（８）のうちの第１のローラとは、歯車（１６）によって、それぞれの回転軸線周りでこれら第１のローラ（８）を回転させるために、相互接続されており、
前記歯車（１６）の少なくとも１つは、時計回りおよび反時計回りの回転のためにモータ（１７）によって駆動されており、
前記第２のローラ対（８）のうちの第２のローラを備えるさらなるフレーム部材（３３）が、前記第２のローラ対（８）のうちの前記第１のローラの回転軸線周りで前記フレーム部材（１１）に対して転回するよう、旋回可能に取り付けられており、
ばね（３４）が、前記さらなるフレーム部材（３３）を、前記第２のローラ対（８）のうちの第２のローラと前記第１のローラ対（８）のうちの第２のローラとが互いに近接する第１のポジションへ付勢することを特徴とする把持部。
【請求項２】
前記布片（２）を解放するための反対の第２の方向に前記コンベアベルト（６）を動かすことによって前記布片（２）を引き継ぐために、コンベア機構に対して前記把持部（１）を３次元空間内で移動させるようロボットアーム（２６）の端部に取り付けられていることを特徴とする請求項１に記載の把持部。
【発明の詳細な説明】
【技術分野】
【０００１】
本発明は、把持部を用いて布片を把持し、移動させかつ解放するための方法および把持部に関する。
【背景技術】
【０００２】
従来技術では、把持部を用いて布片を把持し、移動させかつ解放するための方法が公知となっており、そのため、把持部はまず、相対して密着する可動表面部分が設けられており、密着する可動表面部分は布片と接触する。こうした公知の方法によれば、表面部分は、布片を挟み込んで保持するために、把持動作時に互いに対してかつ把持部に対して移動され、続いて把持部は、表面部分間に挟み込まれた布片とともに、別の場所へ移動され、ここで表面部分は、布片を解放するために逆方向に移動させられる。公知の方法に基づく把持動作は典型的には２つの相対する側面から布片を挟み込むが、それは多くの場合に把持部と布片との間における不十分な把持につながるため、従来技術の方法は、個々の布片をその突き出した領域で把持しかつ保持するのに適していない。また、挟み込み部の最先端は、その前進中に布片を布の積み重ねへ押し込む傾向があり、これは把持動作の失敗につながる。
【発明の概要】
【課題を解決するための手段】
【０００３】
本発明によれば、相対する表面部分は、把持動作のために布片と接触している間に所定の経路に沿って移動され、それによって、表面部分は互いに近接され、かつこれら表面部分は、把持される布片から離れる方向において少なくとも把持部に対して移動される。この動きは、表面部分が密着するようにさらに表面部分を前進させ、表面部分はまた、把持された布片に接触して布片を保持する。そのため、表面部分間に挟み込まれる布片のうち最初に接触される突き出た領域を把持部のより深くに移動させる間、動作中の表面部分の密着性に起因して、新たな表面部分は、アクティブポジションへ前進されて、布片の挟み込みまたは把持の強化に寄与する。
【０００４】
表面部分が把持部に対して既定の距離まで移動される場合、これら表面部分は、互いから離れる動きが制限され、それによって布片の挟み込み動作が引き起こされることが好ましい。表面部分のこの制限は、特にしっかりとした安全な把持を保証する。
【０００５】
表面部分の少なくとも１つが、円形の経路に沿って移動するように制限されており、かつ／または、把持部の一部を形成するガイドブロックまたはホイールによって表面部分の経路の少なくとも一部に制限される場合に、把持部を単純で公知の部品、例えばローラ、ホイールまたはコンベアベルト部品から容易に作成できるようにすることが保証され、それによって単純で信頼性の高い把持部が作られてもよい。
【０００６】
相対して密着する可動表面部分は、好ましくは、把持部に対して並進または回転する可動部材に接続されたチェーン、バンドまたはホイールなどの下部構造を有することによって、移動させられる。このようにして、作動して布片と接触する表面部分と、表面部分に動きを与える下部構造とが区別される。下部構造は、ホイールまたは他の回転体であってもよい。代替的には、下部構造は、ベルトまたはチェーンの一部からその隣接する部分へ引張力が伝達され得るように、チェーンまたはフレキシブルなベルトを備えてもよく、それによって、布片に接触している表面部分は、把持された布に実際に接触している表面部分から距離を置いたチェーンの部分に達する可動部材によって移動されてもよい。
【０００７】
本発明はまた、布片を把持し、保持し、かつ解放するよう適合された把持部に関する。把持部は、相対して密着するフレキシブルな可動表面部分を備えており、これら表面部分は、ロボットアームを用いて、布片にその望ましい把持地点で接触すべく配置されるよう構成されている。密着するフレキシブルな可動表面部分は、中心点に対して回転されることによって、かつ／または把持部のガイド部材にわたって引っ張られることによって、移動されるよう適合されている。回転またはガイド部材にわたる引っ張りを経て、把持部のうちよりアクティブな表面部分が布片に接触して、布片のうち初めに接触される部分がより強く把持されるかまたは挟み込まれ得ることが保証される。表面部分がフレキシブルであることによって、加圧された場合に表面部分が屈曲することおよび／またはへこむことができ、それによって、布片に隣接する表面部分の領域において表面部分が互いに接触する様式で、布要素が２つの相対する表面部分間に配置され得ることを理解されよう。
【０００８】
本発明によれば、把持部は２つの相対して密着する可動表面部分を備える。そのため、明確に規定される把持領域は、相対する可動表面部分によって画定される。
【０００９】
本発明によれば、相対する表面部分は、相対するブロックによってガイドされ、これら表面部分は、互いにかつ／または把持される布片に面するゴム状の外側表面を有する細長屈曲部材を備える。相対するブロックを配置し、そうしたブロックを用いてゴム状の外側表面を有する細長屈曲部材をガイドできるようにすることによって、相対するブロック間に隙間が容易に設けられる。そして、相対する表面部分がそうした隙間内に誘導された場合、相対するゴム状の表面間で挟み込み動作が実施され、それによって、表面部分に接触している布片は隙間に引き込まれて、強く挟み込まれれば挟み込まれるほど表面部分は隙間に引き込まれる。
【００１０】
２つの相対する表面部分の各々は、下部にある回転または並進によって動作させられるチェーン、バンド、またはホイール部材を有しており、この動作が部分表面を移動させる。このようにして、下部にあるチェーン、バンド、またはホイール部材は、非常に頑丈に作られてもよく、例えばスチールまたは繊維材料によって提供される。同時に、表面部分は、高いフレキシブル性を有するようにかつさらにわずかに粘着性を有するように作られてもよく、例えばポリウレタン化合物または天然ゴムから作られてもよい。
【００１１】
相対するブロックは隙間を形成しており、それによって、相対する表面部分は隙間内を上下に移動させられる。これは、布片をしっかりと保持するのを保証するのに役立つことができ、とりわけ隙間は、相対する表面部分間に挟み込まれた布片にかかる圧力が徐々に増大し得るように、Ｖ字型の入口を有することが好ましい。
【００１２】
本発明は、洗濯設備において、布片や衣類または他の柔軟な個別の要素を把持するための方法の使用も含む。
【００１３】
本発明は、以下の１つ以上の要素を分類するために使用されてもよい：織物、衣類、タオル、シーツ、枕カバー、ベッドシーツ、テーブルクロス、ラグ、キッチンタオル、モップ、ダストマット、作業着、ガウン、制服、シャツ、靴下、私服、産業用作業服、医療用作業服、食品産業用作業服、幼児用織物、よだれかけ、ブランケット、ナプキン、ウォッシュグローブ、および他の個別の柔軟要素。以下で「布」という用語が使用されているものは何でも、上述のいずれかまたは類似した性質の要素であると理解されたい。
【図面の簡単な説明】
【００１４】
【図１】稼働を意図した環境にある把持部を示す図である。
【図２】把持部の一実施形態の３Ｄ断面図である。
【図２ａ】コンピュータグラフィックディスプレイモードで示される図２における把持部の実施形態を示す図である。
【図３】把持部の別の実施形態の３Ｄビューを概略的に示す図である。
【図３ａ】コンピュータグラフィックディスプレイモードで示される図３の把持部を示す図である。
【図４】把持部の実施形態の３Ｄビューを概略的に示す図である。
【図４ａ】コンピュータグラフィックモードで示される図４における把持部を示す図である。
【図５】３Ｄビューで概略的に示される把持部の実施形態を示す図である。
【図５ａ】コンピュータグラフィックディスプレイモードで示される図５における実施形態を示す図である。
【図６】３Ｄで概略的に示される把持部の実施形態を示す図である。
【図６ａ】コンピュータグラフィックディスプレイモードで示される図６における実施形態を示す図である。
【図７】布片を把持したままの図２における把持部を示す図である。
【図８】把持部の実施形態を示す図である。
【図８ａ】コンピュータグラフィックディスプレイモードで示される図８における把持部を示す図である。
【図９】先行技術の把持部を開示する図である。
【図９ａ】コンピュータグラフィックディスプレイモードで示される図９における把持部を示す図である。
【図１０】３Ｄビューで示される把持部を示す図である。
【図１１】図１０に示される把持部を反対側から見た状態で示すである。
【図１２】図１０に示される把持部のさらなる実施形態を示す図である。
【図１３】右側には特定の重要でないカバー部材がない正面図があり、左側にはすべての部材が存在する正面図がある、変更された実施形態を３Ｄレンダリングで示す図である。
【図１４】右側には特定の重要でないカバー部材がない正面図があり、左側上部にはすべての部材が存在する正面図があり、左側下部には背後から見た右側図の把持部が示された図がある、さらに別の実施形態を３Ｄレンダリングで示す図である。
【図１５】図１４に示された実施形態の分解図を示す図である。
【発明を実施するための形態】
【００１５】
図９に示される従来技術の把持部は、共通フレーム１１に連結された２つの相対するアーム２８を備える。（見ることのできない）アクチュエーターがフレーム１１内に封入されており、アクチュエーターは、ピンチ、ペンチ、またははさみのような動きで、２つのアーム２８を互いへ向けてまたは互いから離れるように旋回させるために配置されている。把持部は、ロボットアームまたは同様のデバイスの端部に取り付けられており、それによって当該把持部は、アーム２８が互いへ向けて旋回された後に布片が２つのアーム２８の間にあるように配置されてもよく、ここではアーム２８はその端部が互いへ向かうように旋回されるため布片が把持され得る。把持部が布片に置かれた場合、アームの一方または両方が布を乱して布をさらに遠くへ押し出すことがあり、また、アームの旋回動作中に布が把持部から離れるように押し出されることがあり、把持部は、計画された把持工程から何も持たずに戻される。
【００１６】
本発明に基づく把持部が図１に示されており、移送動作中、布片２は把持されて相対する表面部分３間にしっかりと挟み込まれ、この時、布片２は把持部１から垂れ下がっている。布片２は、単一の布片２の積み重ね４から持ち上げられてコンベヤ機構５へ運ばれ、当該コンベヤ機構５は、布片を選別などのさらなる処理へ向けて送る。この構成は、選別されておらず清潔ではない布が到着する汚れ部門などにおける洗濯処理で使用され、ここでは第１の動作は、これら布片が洗浄が必要であるかまたは別の基準に従って選別され得るように、個々の布片を選び出すステップを含む。図示された把持部は、洗濯される要素またはタンブル洗濯される要素のための積み重ねから布片を別々にする場合など、洗濯プロセスの他の部分で使用されてもよい。把持部はある種のロボットアーム２６の端部に懸架されており、図１ではデルタロボット２６が示されており、当該デルタロボット２６は、コンピューター（図示せず）によって提示される方向に基づいて把持部１を３次元空間内であちこちに移動させることができる。コンピューターは、個々の衣類片を把持しようとするのに良好な地点を決定するために、さまざまなスキャナー（図示せず）または他のセンサから情報を取得してもよく、あるいは、ロボットアームは、より少ないガイダンスで機能し、ランダムで試行錯誤をして積み重ね４に取り組んでもよく、最終的には布片を把持してコンベヤ機構５へ布片を移動させる。ロボットアーム２６の敏捷性、範囲および速度に応じて、１つ、２つ、またはそれ以上の間隔を空けたコンベヤ機構が提供されてもよく、それによって、個々の布片の色、重量、または把持部１に組み込まれたセンサによって容易に検知される他の特性に基づいた最初の選別が実施されてもよい。図示されたロボットアームはそうしたデバイスの一例であること、および把持部は他の自動ピックアンドプレース装置とともにうまく機能し得ることに留意されたい。
【００１７】
図１を参照すると、ロボットアーム２６の把持動作および動きは、布片２を把持するための把持部の表面部分３の動作が実行され得ると同時に反対の方向にロボットアームが移動されるなどの、いくつかの方法で連携され得ることに留意されたい。まだ積み重ね４にある布片と接触している表面部分３が積み重ね４から離れる方向に移動される間、ロボットアームは把持部１全体を同様の速度でまたは正確に同じ速度で積み重ね４へ向けて前進させる。最良の状態で把持することを保証しかつ単一の布片２が把持部１に付着されることを保証することに従って、把持中に表面部分３が積み重ね４内へ前進されるように、もしくは表面部分３が積み重ね４における前進されたポジションから離れるよう後退されるように、ロボットアームを移動させることがさらに可能である。図１では、Ｄタイプつまりデルタタイプのロボットアームが開示されており、ここでは、いくつかのアーム２６が、把持部１のための基礎を形成するプラットホームの向きおよびポジションを決定する。
【００１８】
図２、図３、図４、図５および図６における実施形態の各々は、相対して密着する可動表面部分３を備える。これらの表面部分３は、互いに対して移動可能である。図２および図３において、表面部分３は、相対するブロック７周りで牽引されるコンベヤベルト６の外面から構成される。図５および図６では、ベルト６はホイールまたはローラ８周りで牽引される。これによって、矢印９で示されるようにこれら表面部分３は互いへ向けてまたは互いから離れるように移動すると同時に、矢印１０で示されるように把持部および布の積み重ねへ向けてまたはこれらから離れるように、表面部分３を移動させることができる。このようにして制御されたニップまたはピンチが提供され、相対して密着する表面部分３を同時に互いへ向けてかつ表面部分３と接触している布片から離れる方向に移動させることによって、表面部分３と接触している布片を当該ニップ内に引き込むことができる。
【００１９】
図２に示される実施形態では、コンベヤベルトは、相対する丸みのあるブロック７の周りで牽引されており、これらブロック７は、共通フレーム１１に取り付けられている。各コンベヤベルトは、ループを形成するために、ともに結合される前縁１２および後縁１３を有する。ループは、プランジャおよびシリンダ対１４などの可動部材に接続されており、それを用いて、ループをブロック７周りをスライドさせて回転させることができ、矢印９、１０で示される移動が引き起こされる。プランジャがフレーム１１に対して下方に移動された後に挟まれた布片２が解放され、一方で、プランジャが上方に移動されることによって布片が挟まれる。油圧または空気圧がプランジャをシリンダ内で上下に駆動する。
【００２０】
図５に示される実施形態では、コンベヤベルト６は、相対するローラまたはホイール対８の周りに、各コンベヤベルト６自体の無限ループとなるように引き付けられており、ここで２つの上側ホイール１５は歯車１６によって相互接続されており、それによって２つのホイール１５は、いつでも同じ速度であるが反対の回転方向に一斉に駆動される。歯車１６を駆動するために、これら歯車１６の少なくとも１つはモータ１７に接続されている。モータに接続されたホイールを反時計回りに回転させると、２つの下側ホイール１８間にある２つのコンベヤベルトループの下側部分によって挟み込み動作が引き起こされ、かつモータ１７を時計方向に回転させることによって、２つの下側ホイール１８間に挟まれたつまり把持された布片が解放される。
【００２１】
図２および図５の実施形態の把持部は、図１に開示されるようにロボットアームの外側端部に設置されており、ピンチ地点において、布片から離れる方向における相対するコンベアベルト６の移動速度と同じ速度で布片へ向かう方向にアームを駆動することによって、コンベアベルトは、ピンチ地点においてピックアップつまり挟み込み動作中に、布片へ向けてあるいは布片から離れるように移動されない。ピックアップ中にロボットアームの駆動速度とコンベヤベルトの駆動速度とを変更することによって、把持されるべき布片に圧力または持ち上げ力を与えることができ、これによって最も信頼性の高い把持動作が引き起こされる。これは、以下で説明される他の実施形態にも当てはまる。
【００２２】
図６に示される実施形態におけるコンベヤベルトは、図５の実施形態のベルトとは、２つの上側ホイールが図６では１つの単一ローラ１９に置き換えられるため、わずかに異なるよう構成されている。このローラ１９は、２つの下側ホイール１８の回転軸線の方向に垂直な回転軸線を有しており、２つのコンベヤベルトは、当該ローラ周りに巻き付けられているが、コンベヤベルトの各々は、２つの下側ホイール１８の回転軸線の方向に対してそれぞれ９０度回転されている。これらベルトを反対方向に９０度方向転換することによって、これらベルトは、２つの下側ホイール１８において反対方向に駆動される。この実施形態では、コンベヤベルト６は、円形断面を有するゴム状バンドを備えてもよい。
【００２３】
図３および図４に示された実施形態では、オープンエンドのコンベヤベルトが使用されている。図３では、２つのコンベヤベルト６は、２つの相対するブロック７間に設けられた隙間２１で互いに接触して通過するように配置されている。コンベヤベルト６の下側端部２０は、ブロック７のうち隙間２１から離れるよう面する部分において、これらブロック７の各々に対して固定地点２２で固定されている。隙間２１と固定地点２２との間で、フレキシブルなコンベヤベルト６は、空いたスペース周りに、精密に対称的な丸みのあるローブ（耳たぶ形状部分）２３を形成しており、コンベアベルト６の弾性に起因して、２つのローブ２３は、隙間２１の外側で、直線的な接触ライン２４を形成するように合流する。相対するブロックは、適切な移動手段（図示せず）によって接触ライン２４に沿って上下に移動されてもよい。そうした手段は、２つのコンベヤベルトの上側端部も固定されているロボットアームにおける固定場所に対して、ブロック７および共通フレーム１１を移動させてもよい。代替的に、ブロック７およびフレーム１１はロボットアームに固定されており、２つのコンベヤベルトは、上から隙間に出入りするように押圧される。いずれの場合も、直線の接触ライン２４を形成するように２つのコンベヤベルトローブ２３が合流する合流地点２５に存在する布片に狭持動作つまり挟み込み動作をもたらすことを前提として、ローブ２３のサイズは、ブロック７とコンベヤベルト６との間の相対移動によって変化させられる。合流地点２５が隙間２１のかなり下にある限り、コンベヤベルトは、そのフレキシブルな特性に起因して、コンベヤベルト間に布片が存在するためへこんでもよく、しかしながら、一度ブロックがさらに下方へ移動されると、最終的に合流地点２５は隙間２１に入り、ここでコンベヤベルト６は互いから離間されるよう移動することが制限され、布片２にしっかりした狭持または挟み込みが与えられる。図３に示されるように、隙間はＶ字型の入り口を有しており、こうした入口は、かさばる布片でも把持できるようにする。
【００２４】
図４に開示される本発明の実施形態は、図３の実施形態とほぼ同じ方法で作動し、コンベヤベルト６と相対するブロック７と共通フレーム１１とからなる平行構造は同じでありかつ同じ様式で作動する。しかしながら、コンベヤベルトの下側端部はブロックに固定されておらず、隙間２１から離れるように広げられる。２つのコンベヤベルト６は、これら自体が、示された姿勢をとるような弾性を備えていない場合があり、ばね金属またはプラスチック（図示せず）の層が場合によってはコンベヤベルトの外側に取り付けられてもよい。
【００２５】
上記実施形態の各々において、把持動作を担う部材は、布片に接触した際の湾曲した状態から、挟み込みが実施された際のより直線的な形状へ変化する。該当する表面部分がゴム状でありひいては非常に摩擦特性が高いことを考慮すると、この形状の変化は、特定の布片を保持するのに役立つことがある。とりわけ、表面部分が頑丈なゴム−ネオプレンクラッド織りストランドを備える場合、図５における２つの下側ホイール１８周りなどの外向きの屈曲部から上側ホイールと下側ホイールとの間の直線部分への変形は、１つの同じコンベヤベルトの２つの離間された表面部分を互いに接近させ、それによって、コンベア自体が衣類要素などの布片の個々の繊維を保持する。この効果は、チェーンまたはコンベヤベルト部分に一様ではないつまり小さなくぼみのある表面が使用されている場合に、強化されてもよい。使用されるコンベヤベルトが、コンベヤチェーンなどの単一の連結要素を備える場合にも、同様の効果が発生し得る。ここで、チェーンリンク間の角度は変化し、チェーンがローラ周りで牽引される場合または相対するブロック７の湾曲部分に追従する場合に、チェーンリンク間の角度は湾曲した部分に沿って最大となる。そうした個々のチェーンリンクは、１つのリンクにおけるタグが隣接するリンクのチェーンの上下にさらに接触するように、チェーンリンクの連結性に対する相対する表面部分の柔軟性を形成してもよい。
【００２６】
本発明の上述の例示的な実施形態から明らかなように、表面部分の少なくとも１つは、中心点２７に対して回転されると表現され得るように円形経路に沿って移動するよう制限され、かつ／または、把持部の一部を形成するガイドブロック７によって、少なくともその経路の一部で制限される。図５に示される実施形態では、円形経路は、下側ホイール１８によって画定される。図５からも明らかなように、これら下側ホイール１８は、接触ライン２４に沿うニップが延長されてＶ字型となるように、ある程度離間されて配置されてもよい。これによって、表面部分３間でかさばった部分を固く把持して保持できる。
【００２７】
図５の実施形態は、下側ホイールに対して軸方向にローラ延長部を追加することによって作動でき、これら延長部は同一であり、また延長部は示されたホイール１８より大きい直径を有しており、これら延長部がともに接触または押圧することが可能となる。この設計に基づく把持部が図８に示される。ここで、ローラまたはホイール１８は、接触ラインの上下のいずれかに移動させる方法で各々が回転されることによって、布片の把持および解放を担うアクティブ表面を形成する。したがって、接触ライン２４の下方にあるこれら表面は上方に移動してピックアップ動作のために互いに接近し、接触ラインに沿う表面は、把持された布片の解放動作のために互いからさらに離れるように下方に移動する。図８の実施形態では、下側ホイール１８は互いに接触し、把持されるものは何でもホイール１８間に挟まれて、接触ライン２４に沿って上方に移動される。ホイール１８の上方では、コンベヤベルト６は、把持された布片を保持するように機能してもよく、または場合によっては１つのみのコンベヤベルト６が使用され、ホイール１８の１つはアイドルホイールのままである。代替的には、モータ１７は、ホイール１８の１つに組み込まれ、その際、場合によりコンベヤベルト６は省略されてもよい。
【００２８】
言及すべきことに、たとえ本発明に基づく把持部の開示された実施形態におけるアクティブ表面がかなり滑らかである場合が示されているとは言え、実際にはより好ましくはある程度粗い表面が使用され、把持動作の前に実施される布片に対する位置決めが完全ではない場合であっても、布片のしっかりとした把持を達成するために、均一に分散されたくぼみまたはしわを備える表面がより好ましい。
【００２９】
上述の実施形態の例では、２つの相対する表面部分が把持動作を担っているが、３つ以上の相対する表面部分を利用することができる。
【００３０】
図１０および図１１には、本発明のさらなる実施形態が示されており、当該実施形態におけるモータ１７はステッピングモータである。この時、モータ１７の動作は、電子デバイスからの入力の制御によって導かれてもよく、その入力は、共通フレーム１１上に配置されるかまたはモータ１７に組み込まれる１つ以上のセンサに基づく。さまざまな種類のモータがこの能力を有してもよく、図１０および図１１に示される好ましい実施形態ではステッピングモータが使用される。図１１ではセンサハウジング３０は、布片または衣類を把持するよう構成された表面部分３に隣接して配置されて示されている。ハウジング３０の内部には、センサまたはセンサ対が設けられている。センサ要素は、２９で示されるエネルギー光線を提供してもよく、そのためハウジングの１つには送信機が、反対側のハウジングには受信機が備えられる。代替的に、送信機および受信機が１つのハウジングに設けられており、場合によりエネルギー光線の送信および受信の両方が可能な要素として設けられる。衣類片が表面部分３間の挟み込み領域内に前進されるたびに、センサまたはセンサ対で検知されるエネルギー光線２９が、遮断されかつ／または反射されて、モータ１７を停止して部分表面３の前進を一時停止するという旨の信号が出力される。表面部分３間の衣類片の存在を検知するために使用されるエネルギーは、光またはレーダーエネルギーなどの電磁エネルギーであってもよく、あるいは音波、好ましくは超音波範囲にある音波が利用されてもよい。また、衣類片の存在を検知するために、煙センサで知られているような粒子エネルギーを使用することができる。
【００３１】
センサがモータに組み込まれている場合、センサは電子ゲージの形態であってもよく、センサは、モータから歯車に伝わるモーメントひいては表面部分３の引き込みをモニタリングする。ここで、挟み込み領域に布が存在すると、表面部分における引き込みが増大され、それによってステッピングモータによって歯車に与えられるモーメントが増大される。
【００３２】
衣類片の存在を検知する代替的な方法は、下側ホイール対１８に組み込まれた圧力センサまたは共通フレーム１１に組み込まれたひずみゲージなどがある。挟み込み領域に衣類片が存在すると、表面部分３が互いから離れるように加圧され、共通フレームに応力が発生し、ホイール対１８のベアリングにかかる圧力が増加され、応力および圧力の両方を検出可能な状態となる。
【００３３】
また、なにかがピックアップされたことを検知するために、上方から部分表面３間のニップに隣接する対象物までの距離を測定する距離センサが使用されてもよく、あるいは、機械式スイッチが使用されてもよく、当該機械式スイッチは入れられて、衣類片が２つの下側ホイール１８間の領域もしくは部分表面３間の挟み込み領域に入った場合に遮断されるつまり閉じられる。
【００３４】
センサ手段が把持部と組み合わされて把持動作を制御するために使用される場合、試行するたびごとに１枚の衣類のみが把持されることを確実にするという点で、より高い命中率が達成され、これは非常に望ましい結果である。
【００３５】
図１２に示される把持部は、布片がベルト６の部分表面３間で挟み込まれかつ挟持され得る領域で、コンベヤベルト６の両側に設けられる相対するブロック７を示す。ブロック７は、挟持する力が、ベルト６の高い張力にのみ依存するのではなく、図１に示されるように一度物品２がブロック７間の領域に前進されるとブロック７と部分表面３との間にもたらされる圧力によって与えられることを保証する。
【００３６】
図１０および図１１の実施形態では、ブロック７も構造の一部であるが、図面を単純な状態にするために、ブロック７は示されない。
【００３７】
図１３に開示されたさらなる実施形態では、把持部１は、中間ホイール３１と称される追加のホイールセットを備えており、当該ホイールは、上側ホイール対８と下側ホイール対１８との間に配置される。追加のホイールセット３１は、上側ホイール８の回転軸および下側ホイール１８の回転軸線との間の線に対して互いへ向けてわずかにずれた軸点を有する。したがって、ベルト６のうち中間ホイール３１と下側ホイール１８との間にある部分は、布片がコンベヤベルト６間に挟み込まれるのを助けるＶ字形状３２を形成する。図１３の左側には、把持部１が取り外し可能なカバーが適所においてわずかにサイズが小さくされた状態で示されている。
【００３８】
図１４に示された把持部１の実施形態では、ホイール対８、１８の一方が（図１４の左上に示されている）フレーム部材１１にヒンジ式で接続されており、それによってこれら２つのホイールは、上側ホイール８の回転軸が枢着部となるように、ともに旋回されてもよい。この動きは、図１４における旋回矢印３９で示されている。この構成は、フレーム部材１１に対して旋回するために、旋回可能な下側ホイール１８がそれ自体のフレーム部材を必要とするという点でわずかな変更が必要とされる。この部材は旋回部材３３と称されており、図１５にも示されている。
【００３９】
旋回ピン３５にねじりばね３４が嵌め込まれており、それによって、ねじりばね３４および旋回部材３３の両方が旋回ピン３５に取り付けられた場合に、ねじりばね３４は、下側ホイール１８が取り付けられた旋回部材３３を、フレーム部材１１に固定された反対側のホイール対へ向けて付勢することができる。これを行う際、ねじりばねは、図１５に示されるように２つの延長アーム３６、３７を有しており、２つの延長アーム３６、３７は、旋回部材３３が付加的なフレーム部材３８に挿入された際に組立状態で互いへ向けて付勢される。
【００４０】
図１４では、装置の外に延在する延長アーム３７が図示されており、ここでは付加的なフレーム部材３８は図面に含まれておらず、そのため、ねじりばねは曲がっていない状態で示されている。
【００４１】
ここで示されるように、この実施形態は、ねじりばねの働きがベルト６間の圧力を保証するため、上述の中間ホイール３１対または相対するブロック７を備えなくても機能する。
【符号の説明】
【００４２】
１  把持部
２  布片
３  表面部分
４  積み重ね
５  コンベヤ機構
６  コンベヤベルト
７  相対するブロック
８  ホイール
９  矢印
１０  矢印
１１  共通フレーム
１２  後縁
１３  前縁
１４  プランジャおよびシリンダ対
１５  ２つの上側ホイール
１６  歯車
１７  モータ
１８  ２つの下側ホイール
１９  単一のローラ
２０  下側端部
２１  隙間
２２  固定地点
２３  ローブ
２４  直線の接触ライン
２５  合流地点
２６  ロボットアーム
２７  中心点
２８  ２つのアーム
２９  波エネルギー光線
３０  センサ対のためのハウジング
３１  中間ホイール対
３２  Ｖ字型
３３  旋回部材
３４  ねじりばね
３５  旋回ピン
３６  延長アーム
３７  延長アーム
３８  追加のフレーム部材
３９  旋回矢印
【図１】
2021510777.tif 000003
【図２】
2021510777.tif 000004
【図２ａ】
2021510777.tif 000005
【図３】
2021510777.tif 000006
【図３ａ】
2021510777.tif 000007
【図４】
2021510777.tif 000008
【図４ａ】
2021510777.tif 000009
【図５】
2021510777.tif 000010
【図５ａ】
2021510777.tif 000011
【図６】
2021510777.tif 000012
【図６ａ】
2021510777.tif 000013
【図７】
2021510777.tif 000014
【図８】
2021510777.tif 000015
【図８ａ】
2021510777.tif 000016
【図９】
2021510777.tif 000017
【図９ａ】
2021510777.tif 000018
【図１０】
2021510777.tif 000019
【図１１】
2021510777.tif 000020
【図１２】
2021510777.tif 000021
【図１３】
2021510777.tif 000022
【図１４】
2021510777.tif 000023
【図１５】
2021510777.tif 000024
【国際調査報告】
2021510777.tif 000025
2021510777.tif 000026
2021510777.tif 000027
2021510777.tif 000028